(57)【要約】【課題】温調動作が作動しても、衣類の布傷みのない適当な乾燥時間で乾燥行程を終了することができ、また、フィルタに目詰まりをした場合に温調動作が行われたとしても、衣類が未乾燥で終わることがなく、適切な時間で終了することができる洗濯乾燥機を実現することができる。【解決手段】内槽４内に送風する乾燥用送風機８と、乾燥用送風機８により送風される空気を加熱するヒータと、内槽４内に送風される空気の温度を検知する第１のサーミスタ２１と、内槽４内の衣類量を検知する布量検知手段２５とを有し、乾燥行程において第１のサーミスタ２１による検知温度が所定温度に達した時、ヒータ１０をオフし、その後再度オンする温調動作を実行するとともに、布量検知手段２５により検知した衣類の量に応じた所定時間に乾燥行程を終了するようにした。【選択図】図１
2006000355.tif 000002
【特許請求の範囲】
【請求項１】
筺体内に弾性的に吊支した外槽と、回転中心軸を略鉛直方向に有し前記外槽内に回転自在に支持し洗濯物を収容する内槽と、前記内槽の内底部に回転自在に設けた回転翼と、前記内槽および回転翼を駆動する駆動手段と、前記内槽内に送風する送風手段と、前記送風手段により送風される空気を加熱する加熱手段と、前記内槽内に送風される空気の温度を検知する温度検知手段と、前記内槽内の衣類量を検知する布量検知手段と、前記駆動手段、送風手段、加熱手段などの動作を制御し、洗い、すすぎ、脱水、乾燥の各行程を制御する制御手段とを備え、前記制御手段は、乾燥行程において前記温度検知手段による検知温度が所定温度に達した時、前記加熱手段をオフし、その後再度オンする温調動作を実行するとともに、前記布量検知手段により検知した衣類の量に応じた所定時間に乾燥行程を終了するようにした洗濯乾燥機。
【請求項２】
運転開始時の温度がある一定温度以下の場合に、乾燥行程において温度検知手段による検知温度が所定温度に達したとき、加熱手段をオフし、その後再度オンする温調動作を実行する場合は、衣類の量に応じた一定の乾燥時間にさらに所定の乾燥時間を追加するようにした請求項１の洗濯乾燥機。
【発明の詳細な説明】
【技術分野】
【０００１】
本発明は、洗濯物を収容する内槽内に温風を送風して洗濯物を乾燥させる行程を有する洗濯乾燥機に関するものである。
【背景技術】
【０００２】
従来、この種の洗濯乾燥機の乾燥終了動作は、加熱手段を２つ以上持っており、１つの温度検知手段の差温が所定温度Ｔ上昇したときの温度レベルに応じて加熱手段をオンオフしながら、初期の温度から所定の温度レベルまで上昇すると乾燥終了するように構成している。また、温度検知手段のうちの１つが所定温度に達したとき、加熱手段のどちらかをオフし、その後再度オンする温調動作を実行する。温調動作を実行した場合の乾燥終了動作は前記同様である（例えば、特許文献１参照）。
【特許文献１】特開平６−２１８２００号公報
【発明の開示】
【発明が解決しようとする課題】
【０００３】
しかしながら、前記従来の構成の洗濯乾燥機の場合、温調動作が実行された場合、温度検知手段の温度が下がるため、所定の差温に上昇するまでの時間が、温調動作が入らない時に比べて長くなっていた。そのため、通常の最適な乾燥終了時間より長くなるという不都合があった。
【０００４】
本発明は、前記従来の課題を解決するもので、温調動作が入っても適切な乾燥時間で終了させることを目的としている。
【課題を解決するための手段】
【０００５】
前記従来の課題を解決するために、本発明の洗濯機は筺体内に弾性的に吊支した外槽と、回転中心軸を略鉛直方向に有し前記外槽内に回転自在に支持し洗濯物を収容する内槽と、前記内槽の内底部に回転自在に設けた回転翼と、前記内槽または回転翼を駆動する駆動手段と、前記内槽内に送風する送風手段と、前記送風手段により送風される空気を加熱する加熱手段と、前記内槽内に送風される空気の温度を検知する温度検知手段と、前記内槽内の衣類量を検知する布量検知手段と前記駆動手段、送風手段、加熱手段などの動作を制御し洗い、すすぎ、脱水、乾燥の各行程を制御する制御手段とを備え、前記制御手段は、乾燥行程において前記温度検知手段による検知温度が所定温度に達した時、前記加熱手段をオフし、その後再度オンする温調動作を実行するとともに、前記布量検知手段により検知した衣類の量に応じた所定時間に乾燥行程を終了するようにしたものである。
【０００６】
これによって、乾燥しているにもかかわらず、乾燥行程がなかなか終了しないといったことがなくなり、過乾燥による衣類の布傷みがなく、適当な乾燥時間で乾燥行程を終了することができる。
【発明の効果】
【０００７】
本発明の洗濯機は、温調動作が作動しても、衣類の布傷みのない適当な乾燥時間で乾燥行程を終了することができ、また、フィルタに目詰まりをした場合に温調動作が行われたとしても、衣類が未乾燥で終わることがなく、適切な時間で終了することができる洗濯乾燥機を実現することができる。
【発明を実施するための最良の形態】
【０００８】
第１の発明は、筺体内に弾性的に吊支した外槽と、回転中心軸を略鉛直方向に有し前記外槽内に回転自在に支持し洗濯物を収容する内槽と、前記内槽の内底部に回転自在に設けた回転翼と、前記内槽または回転翼を駆動する駆動手段と、前記内槽内に送風する送風手段と、前記送風手段により送風される空気を加熱する加熱手段と、前記内槽内に送風される空気の温度を検知する温度検知手段と、前記内槽内の衣類量を検知する布量検知手段と前記駆動手段、送風手段、加熱手段などの動作を制御し洗い、すすぎ、脱水、乾燥の各行程を制御する制御手段とを備え、前記制御手段は、乾燥行程において前記温度検知手段による検知温度が所定温度に達した時、前記加熱手段をオフし、その後再度オンする温調動作を実行するとともに、前記布量検知手段により検知した衣類の量に応じた所定時間に乾燥行程を終了するようにしたことにより、過乾燥による衣類の布傷みがなく、適当な乾燥時間で乾燥行程を終了することができる。
【０００９】
第２の発明は、特に、第１の発明の洗濯機において、運転開始時の温度がある一定温度以下の場合に、乾燥行程において温度検知手段による検知温度が所定温度に達したとき、加熱手段をオフし、その後再度オンする温調動作を実行する場合は、衣類の量に応じた一定の乾燥時間にさらに所定の乾燥時間を追加するようにしたことにより、衣類の未乾燥を防ぎ、適当な時間で乾燥を終了することができる。
【００１０】
以下、本発明の実施の形態について、図面を参照しながら説明する。なお、従来例と同じ構成のものは同一符号を付して説明を省略する。また、この実施の形態によって本発明が限定されるものではない。
【００１１】
（実施の形態１）
図１は本発明の実施の形態１における洗濯乾燥機の断面図、図２はブロック回路図、図３は乾燥行程で温調が入っていない場合のＴＨ１の検知温度を表す図を示すものである。図１に示すように、外槽１は、サスペンション２によって筐体３に弾性的に吊り下げ、衣類を収容する内槽４を内包している。外槽１の上方開口側に略ドーナツ状の外槽カバー６を配設している。
【００１２】
筐体３の上部に配設した筐体カバー７の後方内部に、乾燥用送風機８を配設し、この乾燥用送風機８の一端は吸気フィルタ９を介して機体外に通じており、他端はヒータ１０を有する温風供給路１１に接続し、温風送風手段１２を構成している。温風供給路１１は送風蛇腹ホース１３につながり、外槽カバー６に設けた温風供給口１４から内槽４内へ温風を供給するよう構成している。
【００１３】
外槽カバー６に、温風供給口１４から内槽４内に供給された温風を排気する排気口１５を形成し、その近傍に支持部材１６を固定し、排気口１５を覆うように支持部材１６に排気フィルタ１７を着脱自在に取り付けている。この排気フィルタ１７は枠体にメッシュ状のフィルタを例えばインサート成形等で取り付けたものであり、支持部材１６にセットされた状態で上下方向断面形状は、略Ｕ字状をなし、開放面１８を略垂直方向としている。また、外槽カバー６に給水口１９を設け、この給水口１９に接続された給水蛇腹ホース１３によって給水弁２０からの給水を内槽４に導く。
【００１４】
また、第１のサーミスタ（ＴＨ１）（温度検知手段）２１は、温風送風手段１２の外側近傍で温風送風手段１２の入り口付近に取り付けられており、洗濯行程および乾燥行程の開始時には、外気温度を検知する役割を持つとともに、乾燥行程が進行するにつれて、衣類が乾くことによって上昇する洗濯乾燥機内の雰囲気温度を検知する役割を持っている。第２のサーミスタ（ＴＨ２）２２は、温風供給路１１に取り付けられており、温風供給路１１の温風温度の温度変化を検知するように構成しており、温度が安全な範囲で上昇しているかどうかは、この第２のサーミスタ（ＴＨ２）２２によって監視している。
【００１５】
筐体３の内壁に取り付けられた、洗濯乾燥機の動作を制御する制御装置２３は、図２に示すように構成している。制御装置２３の詳細な構成は、マイクロコンピュータ等で構成される制御手段２４と布量検知手段２５で構成されている。制御装置２３は、洗濯乾燥時にはモータ（駆動手段）２６、クラッチ２７、給水弁２０などの動作を制御している。また、乾燥時には乾燥用送風機（送風手段）８、ヒータ（加熱手段）１０などの動作を制御している。排水弁２８は、洗濯乾燥機内の温度を上昇させ、衣類を乾きやすくするために、乾燥行程初期では閉じている。乾燥行程中、排水弁２８は、所定時間に数回定期的に動作し、洗濯乾燥機内に溜まった水を排水するという動作をしており、制御装置２３によってその動作は制御されている。このように、制御装置２３は、洗濯乾燥機の洗い、すすぎ、脱水、乾燥の各行程を詳細に制御する。
【００１６】
乾燥行程は、図３に示すように、前記内槽を回転させながら乾燥する槽回転モードと前記回転翼を回転させながら乾燥する回転翼回転モードの時間比率の異なる行程（行程１、行程２、行程３）を有していて、行程３の終了時間は、第１のサーミスタ（ＴＨ１）２１が行程３に入った時の初期温度から第１の所定温度Ｔ１（たとえば、６Ｋ）上昇した時に行程３を終了させることで、乾燥行程を終了するように構成している。
【００１７】
図４は、乾燥行程の行程１と行程２の布量ランク毎の行程時間を表す図である。図４に示すように、行程１、行程２は、布量検知手段２５の結果に応じて時間が決定される（布量検知手段は後述する）。たとえば、布量検知手段によって布量ランク（布量ランクの詳細は後述する）が６と決定した場合、行程１は９０分と決定し、行程２は５０分と決定して、行程１は、衣類の乾燥率が低い状態であるため、槽回転モードを主体とした動作を行うことで、たとえば内槽を７００ｒｐｍの高速回転を行うことで、衣類の水分を飛散させ、高速回転後、回転翼２９を１秒オン−１秒オフで正転反転を１０回繰り返す。このような攪拌によって衣類がムラなく、乾燥することができる。
【００１８】
行程２は、回転翼回転モードを主体として、行程１によってある程度乾燥した状態の衣類を、０．５秒オン−１．０秒オフの正転反転を繰り返し、衣類に満遍なく温風を当てることで、乾きむらなく乾燥することができる。
【００１９】
図５は乾燥行程で温調が入った場合のＴＨ１の検知温度を表す図、図６は温調動作に入った場合における乾燥行程の制御手段２４のフローチャート、図７は乾燥行程で温調が入った場合の布量ランク毎の行程時間を表す図を示している。
【００２０】
図５に示すように、夏場に洗濯乾燥機を外置きした場合など、雰囲気温度が高い場合の乾燥行程にて、第２のサーミスタ（ＴＨ２）２２により検知した温度が第２の所定温度Ｔ２（たとえば、８９℃）に達したとき、洗濯機内の異常温度上昇を防止するために、ヒータ１０をオフする。ヒータ１０がオフした後、第２のサーミスタ（ＴＨ２）２２による温度から第３の所定温度Ｔ３（たとえば、８７℃）に下がったとき、ヒータ１０を再度動作させて、温風温度を調節する温調動作を示している。この温調動作に入った場合、乾燥の終了検知は、前記終了検知方法ではなく、後述の終了方法を行う。
【００２１】
図６に示すように、洗濯乾燥機の操作部（図示せず）の電源が投入され、乾燥行程が開始すると、第１のサーミスタ（ＴＨ１）２１が開始時の温度Ｔｓを検知する（ステップ１０１）。その後、回転翼２９が動作し、モータ２６を駆動して回転翼２９を正転反転させて、モータ２６をオフさせたときの惰性回転を回転速度検知手段３０により、検知する布量判定動作（ステップ１０２）を行う。ここで、布量検知手段２５は、惰性回転が長い場合は、布量が少ないとし、惰性回転が短い場合は、布量が多いとして布量判定（ステップ１０２）を行う。そのようにして、洗濯物の布量の大きさ（ステップ１０３）を決定する。
【００２２】
布量の大きさ（布量ランク）は、図７に示すような０〜６までのランクのテーブルを持っていて、布量ランクに応じた一定の乾燥時間が決定される。この乾燥時間の決定は、初期温度検知結果Ｔｓによって布量に基づく乾燥時間を変えるようにしている。たとえば、乾燥容量４．５ｋｇの場合にＴｓが１０℃以上の場合には３６０分となるが、Ｔｓが１０℃以下のときには、３９０分運転するようにしている。これは、Ｔｓが１０℃以下の場合は、吸気フィルタ９に糸くずが詰まり、その糸くずを掃除していないまま乾燥運転を行った、吸気フィルタ９の目詰まり状態と検知して、衣類を確実に乾燥させるとともに、適切な乾燥時間で乾燥行程を終了することができる。
【００２３】
布量ランクが決定し、乾燥時間が決定したら、ヒータ１０をオンする動作（ステップ１０４）を行う。ステップ１０５で、第２のサーミスタ（ＴＨ２）２４が第２の所定温度Ｔ２（８９℃）に達しない場合、前記、第１のサーミスタ（ＴＨ２）の温度上昇結果によって、乾燥終了検知を行い、ヒータ１０をオフし（ステップ１０９）、送風行程に入り（１１０）、乾燥を終了する。
【００２４】
第２のサーミスタ（ＴＨ２）２４が第２の所定温度Ｔ２（８９℃）に達した場合、温調動作を行い、布量判定（ステップ１０２）の結果に応じた一定時間の乾燥時間の運転が行われることで、適切な乾燥時間で乾燥行程を終了する。
【産業上の利用可能性】
【００２５】
以上のように、本発明にかかる洗濯機は、本発明の洗濯機は、温調動作が作動しても、衣類の布傷みのない適当な乾燥時間で乾燥行程を終了させるのに有用である。
【図面の簡単な説明】
【００２６】
【図１】本発明の第１の実施例の洗濯乾燥機の縦断面図
【図２】同洗濯乾燥機のブロック回路図
【図３】同洗濯乾燥機の乾燥行程で温調が入っていない場合のＴＨ１の検知温度を表す図
【図４】同洗濯乾燥機の乾燥行程の行程１と行程２の布量ランク毎の行程時間を表す図
【図５】同洗濯乾燥機の乾燥行程で温調が入った場合のＴＨ１の検知温度を表す図
【図６】同洗濯乾燥機の乾燥行程で温調が入った場合のフローチャート
【図７】同洗濯乾燥機の乾燥行程で温調が入った場合の布量ランク毎の行程時間を表す図
【符号の説明】
【００２７】
１  外槽
３  筐体
４  内槽
８  乾燥用送風機（送風手段）
１０  ヒータ（加熱手段）
２１  第１のサーミスタ（温度検知手段）
２４  制御手段
２５  布量検知手段
２６  モータ（駆動手段）
２９  回転翼
【図１】
2006000355.tif 000003
【図２】
2006000355.tif 000004
【図３】
2006000355.tif 000005
【図４】
2006000355.tif 000006
【図５】
2006000355.tif 000007
【図６】
2006000355.tif 000008
【図７】
2006000355.tif 000009